(57)【要約】【課題】本考案は地中に埋没したままや、紛失したりして捕獲の確認ができなくて、捕獲器を掘り起こしたりしてしまうようなモグラ捕獲器の欠点を取り除き、捕獲率の高いモグラ捕獲器を考案し、農業生産の向上に寄与する【解決手段】モグラの動きを土の選択によって、感知板（５）が捕らえ、前記感知板（５）に連結する感知判連結棒（６）本がトリガー（８）を動かし、支柱（１）の中に仮定された殺傷針作動棒（２）を動かし、前記殺傷針作動棒（２）先端に取り付けられた殺傷針（４）を突出させて、土中のモグラを殺傷する支柱固定棒（９）を用いて土壌に設置可能なことを特徴とするモグラ捕獲装置。【選択図】図１
0003121310.tif 000002
【実用新案登録請求の範囲】
【請求項１】
モグラの動きを土の選択によって、感知板（５）が捕らえ、前記感知板（５）に連結する感知判連結棒（６）本がトリガー（８）を動かし、支柱（１）の中に仮定された殺傷針作動棒（２）を動かし、前記殺傷針作動棒（２）先端に取り付けられた殺傷針（４）を突出させて、土中のモグラを殺傷する支柱固定棒（９）を用いて土壌に設置可能なことを特徴とするモグラ捕獲装置。
【考案の詳細な説明】
【技術分野】
【０００１】本考案は、モグラ捕り器に属するもので、田、畑、果樹園、施設園芸、花壇、庭、で使用し、モグラを殺傷して捕獲するものである。
【背景技術】
【０００２】モグラの被害は四季を通じて常時発生しており、モグラ捕獲には多くの方が試行錯誤されてきて、被害には腹立たしさを覚えている。このようなモグラの被害をなくすため、モグラの捕獲具が多くの人々によって考案され、実施されてきた。【０００３】従来のモグラ被害に関する対策としては、地上部やモグラの通過する坑道に仕掛けて、モグラを音・振動・忌避剤などでモグラを撃退する装置（例えば特許文献１、２参照）。モグラの坑道に円筒や箱を仕掛たり、モグラの好物を餌にモグラを捕獲する装置（例えば特許文献３，４参照）。モグラが通過するときに、鋭い針や錐などで殺傷することにより、モグラを捕獲する装置（例えば特許文献５、６参照）がある。
【特許文献１】実用新案登録第３１０４３９７号  公報
【特許文献２】特開２００４−１５９６２８号    公報
【特許文献３】特開２００４−１３５６４３号    公報
【特許文献４】実用新案登録第３０９０４９３号  公報
【特許文献５】特開２００３−３２５０９２号    公報
【特許文献６】特開２００２−１１２６８９号    公報
【考案が解決しようとする課題】
【０００４】しかしながら、上記した技術では駆除ないし捕獲には、時間と多大の労力を要する。このため上記文献１、２では高周波の連結パルス波の発振や、ショウノウ・ナフタリンなどの忌避剤によるモグラを撃退しても、モグラの数が減らないのでモグラの被害は繰り返される。文献３、４では坑道内に円筒状の捕獲器を設置したり、ミミズ・骨粉等の餌を与えたりしてモグラを捕獲するのだが、モグラは人間の手の臭いや坑道内の異物感に敏感なためうまく捕獲できない。文献５、６ではセンサーを利用したり、圧力バネを使った刺殺型の捕獲器だが構造的に複雑であることと、制作費に多くを要するなどの点がある。
【課題を解決するための手段】
【０００５】本考案は上記した従来のモグラ捕獲器が有する問題点を解決するもので、主に本器の支柱１、殺傷針作動棒２、作動バネ３、殺傷針４、感知板５、感知板連結棒６、感知板連結棒固定支点７、トリガー８、支柱固定棒９、固定棒固定支点１０、から構成されている。本発明の装置の素材は鉄であるが、殺傷針は変形しにくい鋼鉄やピアノ線を加工して使用すると良い。支柱１では中空な筒状にあり、その中にコイル状の作動バネ３の中空部を通して装着されている。作動バネ３は瞬時にモグラを殺傷できる強力な反発力を有するものを使用した。モグラの動きをキャッチする感知板５は支柱１の下に取り付けられて、支柱１と感知板５は３センチほどの空間を作っている。感知板５は感知板連結棒６につながり、感知板連結棒６がトリガー８へと連結されている。トリガー８の先端が殺傷針作動棒２の切り込みに装着して、作動前の状態は殺傷針作動棒２が作動バネ３が圧縮された状態にある。（図３）
【０００６】この考案は捕獲したいモグラが坑道を通過するとき、水平な方向にある坑道の上部に設置するものである。モグラは敏感で臆病な小動物であるため、坑道内の臭いや異物には殊のほか敏感である。そのため坑道内に人間の手のあぶら臭などが残ると、モグラはその坑道を通過しなくなることがある。本考案はこのため、本体や器具の一部を坑道に埋没させる物でなく、地上に設置することから、器具臭や人間臭を感じさせないのである。
【０００７】本考案のモグラ捕獲器において、モグラを待機する状態では作動バネ３は、人力で上部に引き上げられ、感知板５は地面に軽く接し、また殺傷針４の先端も地面に軽く接した状態にある。本器の支柱固定棒９が地中深く突き刺して、十分に固定されているので、モグラが殺傷されて動いても本器は転倒したりしない構造となっている。
【０００８】モグラが本器を設置した坑道に進入したときは、坑道の土が盛り上がりを感知板５によって、モグラの存在をキャッチし、感知板５が上部に押し上げられると、即座に感知連結棒６を伝わってトリガー８を作動させ、トリガー８の作動によりとりがー８の先端が殺傷針作動棒２から離脱することにより、作動バネ３の力で殺傷針４が瞬間的にモグラを殺傷することとなり捕獲を可能とする。（図４）
【考案の効果】
【０００９】構造上の効果としては素材の簡素化と取り扱いが簡便であり、かつ持ち運びが容易であり、加えて制作上のコストが低減であること。捕獲上の効果は、本考案の捕獲器は地上部設置であるため、モグラの学習による回避行動は全く見られず、モグラの坑道を見つけ地上に設置するだけで、田、畑、果樹園、施設園芸、花壇、庭などの広範囲に活動するモグラを絶滅することが可能となる。
【考案を実施するための最良の形態】
【００１０】次に本考案の実施の形態を実施例となる図面を参照しながら説明する。図１は本装置全体の正面図、図２は本装置全体の側面図、図３は殺傷針を作動させるトリガー部の拡大図（作動前）、図４は殺傷針を作動させるトリガー部の拡大図（作動後）、図５はモグラ捕獲装置の使用設置図（捕獲前）、図６はモグラ捕獲装置の使用設置図（捕獲後）である。【０００１１】このモグラ捕獲器は本体を支柱１とする円形部とこれを支え固定する支柱固定棒９から成り立ち、固定棒固定支点１０によって固定されている。支柱固定棒９を捕獲するモグラ（図１参照）が通過し得る水平方向の坑道に横に、坑道に対して直角に土中に深く埋め込む。支柱が固定されていないと、モグラが捕獲された時モグラの必死の動きに、支柱が倒壊し捕獲されたモグラを取り逃がす結果となる。【０００１２】感知板５は感知板連結棒６と一体化されており、トリガー８を通して殺傷針作動棒２を動かすこととなる。（図３・４参照）【０００１３】図３ではモグラ捕獲の待機状態であり、殺傷針作動棒２を上部に引き上げトリガー８の先端と殺傷針連結棒２が密着され、作動バネ３が圧縮された状態にある。【０００１４】図４では、モグラが坑道内での動きをキャッチし、トリガー８と殺傷針連結棒２が感知板の反応によりトリガー８が動くことにより、密着から脱し殺傷したときの機械の機能を示した図である。
【図面の簡単な説明】
【０００９】
【図１】本考案モグラ捕獲器全体の正面図
【図２】本考案モグラ捕獲器全体の側面図
【図３】殺傷針を作動させる部分の拡大図  （作動前）
【図４】殺傷針を作動させる部分の拡大図  （作動後）
【図５】モグラ捕獲装置の使用設置図（捕獲前）
【図６】モグラ捕獲装置の使用設置図（捕獲後）
【符号の説明】
【００１０】１  支柱                          ２  殺傷針作動棒
３  作動バネ                      ４  殺傷針
５  感知板                        ６  感知板連結棒
７  感知板連結棒固定支点          ８  トリガー
９  支柱固定棒                  １０  固定棒固定支点
【図１】
0003121310.tif 000003
【図２】
0003121310.tif 000004
【図３】
0003121310.tif 000005
【図４】
0003121310.tif 000006
【図５】
0003121310.tif 000007
【図６】
0003121310.tif 000008